(57)【要約】【課題】  ストロボ及びディフューザを手軽に有効活用する。【解決手段】  カメラ１０には、通常撮影モードと、ポートレート撮影モードが設けられている。通常撮影モードでは、被写体照度が基準照度を下回る場合、第１撮影モードに移行し、ストロボ発光部３３が収納位置へ、ディフューザ５３が退避位置へそれぞれ移動され、ストロボを使用せずに撮影が行われる。被写体照度が基準照度を下回る場合、第２撮影モードに移行し、ストロボ発光部３３が発光位置へ、ディフューザ５３が退避位置へそれぞれ移動され、ストロボを使用して撮影が行われる。他方、ポートレート撮影モードでは、ストロボ発光部３３が発光位置へ、ディフューザ５３が挿入位置へそれぞれ移動され、ストロボ及びディフューザを使用して撮影が行われる。【選択図】        図６
2006178221.tif 000002
【特許請求の範囲】
【請求項１】
カメラ本体の内部に収納される収納位置と、カメラ本体の外部へ露呈される発光位置との間でストロボ発光部を移動させるストロボ移動機構と、
前記ストロボ発光部が発光位置にあるときに前記ストロボ発光部の前方に挿入される挿入位置と、この挿入位置から退避する退避位置との間でディフューザを移動させるディフューザ移動機構と、
これらストロボ移動機構とディフューザ移動機構とを制御する制御手段とを備え、
前記ストロボ発光部を収納位置に、前記ディフューザを退避位置にそれぞれセットしてストロボを発光させずに撮影を行う第１撮影モードと、前記ストロボ発光部を発光位置に、前記ディフューザを退避位置にそれぞれセットしてストロボを発光させて撮影を行う第２撮影モードと、前記ストロボ発光部を発光位置に、前記ディフーザを挿入位置にそれぞれセットしてストロボを発光させて撮影を行う第３撮影モードの３つの撮影モードを前記制御手段によって切り替えることを特徴とするカメラ。
【請求項２】
前記ストロボ移動機構と、前記ディフューザ移動機構とは、１つのモータで駆動されることを特徴とする請求項１記載のカメラ。
【請求項３】
前記ストロボ移動機構には、一方向に回転することで、前記ストロボ発光部の位置を、前記収納位置と前記発光位置との間で周期的に遷移させる第１駆動部材が設けられており、
前記ディフューザ移動機構には、一方向に回転することで、前記ディフューザの位置を、前記挿入位置と前記退避位置との間で周期的に遷移させる第２駆動部材が設けられており、
これら第１及び第２駆動部材の回転位相をずらして配置するとともに、前記モータによってそれらを回転駆動することで、前記ストロボ発光部及び前記ディフューザの位置を前記３つの撮影モードに応じた位置に変位させることを特徴とする請求項２記載のカメラ。
【請求項４】
前記ストロボ発光部は、第１バネによって前記発光位置に向けて付勢されており、前記第１駆動部材が回転すると前記第１バネの付勢に抗して前記収納位置に移動され、この収納位置に達すると第１係止部材によって係止されて前記収納位置で保持され、前記第１駆動部材がさらに回転すると前記第１係止部材の係止が解除されて、前記第１バネの付勢により前記発光位置へ移動するとともに、
前記ディフューザは、第２バネによって前記挿入位置に向けて付勢されており、前記第２駆動部材が回転すると前記第２バネの付勢に抗して前記退避位置に移動され、この退避位置に達すると第２係止部材によって係止されて前記退避位置で保持され、前記第２駆動部材がさらに回転すると前記第２係止部材の係止が解除されて、前記第２バネの付勢により前記挿入位置へ移動することを特徴とする請求項３記載のカメラ。
【請求項５】
前記第１駆動部材には、前記第１バネの付勢に抗して前記ストロボ発光部を前記収納位置に移動させる第１駆動ギアと、前記第１係止部材の係止を解除する第１解除レバーとが設けられており、
前記第２駆動部材には、前記第２バネの付勢に抗して前記ディフューザを前記退避位置へ移動させる第２駆動ギアと、前記第２係止部材の係止を解除する第２解除レバーとが設けられており、
前記第１駆動ギアと、前記第１解除レバーと、前記第２駆動ギアと、前記第２解除レバーとを、前記モータにより回転駆動される１本の回転軸の周面に形成し、前記第１駆動部材と前記第２駆動部材とを一体化したことを特徴とする請求項４記載のカメラ。
【発明の詳細な説明】
【技術分野】
【０００１】
本発明は、ストロボ発光部及びディフューザを備え、ストロボやディフューザの使用、不使用を撮影モードに応じて使い分けながら撮影を行うカメラに関するものである。
【背景技術】
【０００２】
カメラの中には、ストロボ発光部をカメラ本体内部に収納する収納位置と、カメラ本体外部へ露呈させる発光位置との間で移動自在に保持するポップアップ式ストロボ装置を備えたものがある。これによれば、ストロボ撮影時にストロボ発光部を撮影レンズの光軸から遠ざけることができるので、いわゆる赤目現象を軽減することができる。また、ストロボ不使用時には、ストロボ発光部をカメラ本体内に収納することで、携帯性の向上と、外観デザイン性の向上とを図ることができる。
【０００３】
しかし、ストロボ発光部を撮影レンズの光軸から遠ざけると、赤目現象の軽減には効果があるものの、被写体に陰影の差が出てしまうという問題がある。この問題は、人物のポートレート撮影などのように、人物を近接撮影するときに顕著に顕れる。このため、下記特許文献１には、光拡散板（ディフューザ）によりストロボ光を拡散させて、被写体をまんべんなく照明できるようにしたディフューザ装置が記載されている。この装置によれば、被写体の明暗の差を少なくして、暖かみのある画像が得られるようになる。
【特許文献１】特開平７−９２５２７号公報
【発明の開示】
【発明が解決しようとする課題】
【０００４】
しかしながら、上記特許文献記載のディフューザ装置は、カメラとは別体に設けられているので、取り付け、取り外しが面倒であったり、携帯する際にかさばってしまうといった問題があった。また、一般のユーザーは、どのような状況でディフューザを使用したらよいか分からない場合があり、効果的に活用することが難しかった。
【０００５】
本発明は、取り扱い性を向上することができるとともに、ディフューザを手軽に有効活用できるカメラを提供することを目的としている。
【課題を解決するための手段】
【０００６】
上記目的を達成するために、本発明のカメラは、カメラ本体の内部に収納される収納位置と、カメラ本体の外部へ露呈される発光位置との間でストロボ発光部を移動させるストロボ移動機構と、前記ストロボ発光部が発光位置にあるときに前記ストロボ発光部の前方に挿入される挿入位置と、この挿入位置から退避する退避位置との間でディフューザを移動させるディフューザ移動機構と、これらストロボ移動機構とディフューザ移動機構とを制御する制御手段とを備え、前記ストロボ発光部を収納位置に、前記ディフューザを退避位置にそれぞれセットしてストロボを発光させずに撮影を行う第１撮影モードと、前記ストロボ発光部を発光位置に、前記ディフューザを退避位置にそれぞれセットしてストロボを発光させて撮影を行う第２撮影モードと、前記ストロボ発光部を発光位置に、前記ディフーザを挿入位置にそれぞれセットしてストロボを発光させて撮影を行う第３撮影モードとの３つの撮影モードを前記制御手段によって切り替えることを特徴とするものである。
【０００７】
前記ストロボ移動機構と、前記ディフューザ移動機構とは、１つのモータで駆動されることが好ましい。
【０００８】
また、前記ストロボ移動機構には、一方向に回転することで、前記ストロボ発光部の位置を、前記収納位置と前記発光位置との間で周期的に遷移させる第１駆動部材が設けられており、前記ディフューザ移動機構には、一方向に回転することで、前記ディフューザの位置を、前記挿入位置と前記退避位置との間で周期的に遷移させる第２駆動部材が設けられており、これら第１及び第２駆動部材の回転位相をずらして配置するとともに、前記モータによってそれらを回転駆動することで、前記ストロボ発光部及び前記ディフューザの位置を前記３つの撮影モードに応じた位置に変位させることが好ましい。
【０００９】
さらに、前記ストロボ発光部は、第１バネによって前記発光位置に向けて付勢されており、前記第１駆動部材が回転すると前記第１バネの付勢に抗して前記収納位置に移動され、この収納位置に達すると第１係止部材によって係止されて前記収納位置で保持され、前記第１駆動部材がさらに回転すると前記第１係止部材の係止が解除されて、前記第１バネの付勢により前記発光位置へ移動するとともに、前記ディフューザは、第２バネによって前記挿入位置に向けて付勢されており、前記第２駆動部材が回転すると前記第２バネの付勢に抗して前記退避位置に移動され、この退避位置に達すると第２係止部材によって係止されて前記退避位置で保持され、前記第２駆動部材がさらに回転すると前記第２係止部材の係止が解除されて、前記第２バネの付勢により前記挿入位置へ移動することを特徴とすることが好ましい。
【００１０】
また、前記第１駆動部材には、前記第１バネの付勢に抗して前記ストロボ発光部を前記収納位置に移動させる第１駆動ギアと、前記第１係止部材の係止を解除する第１解除レバーとが設けられており、前記第２駆動部材には、前記第２バネの付勢に抗して前記ディフューザを前記退避位置へ移動させる第２駆動ギアと、前記第２係止部材の係止を解除する第２解除レバーとが設けられており、前記第１駆動ギアと、前記第１解除レバーと、前記第２駆動ギアと、前記第２解除レバーとを、前記モータにより回転駆動される１本の回転軸の周面に形成し、前記第１駆動部材と前記第２駆動部材とを一体化することが好ましい。
【発明の効果】
【００１１】
本発明のカメラによれば、ディフューザを、発光位置にあるストロボ発光部の前方に挿入する挿入位置と、この挿入位置から退避する退避位置との間で移動自在としたので、携帯の際などにかさばってしまうといったことがない。また、撮影モードに応じて、ストロボ発光部、及び、ディフューザの移動、並びに、ストロボ発光の有無を切り替えるようにしたので、ストロボやディフューザを手軽に有効活用できる。
【００１２】
さらに、ストロボ発光部を移動させるストロボ移動機構、並びに、ディフューザを移動させるディフューザ移動機構を１つのモータで駆動することで、小型化、低コスト化が可能である。
【発明を実施するための最良の形態】
【００１３】
図１、図２、図３に、本発明を適用したカメラの外観図を示す。カメラ１０は、カメラ本体１３の前面に、撮影レンズ１７が組み込まれたズームレンズ鏡筒１９と，被写体輝度を測定するための測光センサ２０が設けられている。カメラ本体１３の上面には、鏡筒１９の上方に、ストロボユニット３０、ディフューザユニット５０、及びこれらを収容するユニット収容部２７が設けられている。ユニット収容部２７は、その底面で鏡筒１９と係合することでぐらつかないようにしっかりと固定される。
【００１４】
また、カメラ本体１３の上面には、シャッタボタン２３が配置されており、その前方には、撮影モード設定ダイヤル２５が設けられている。カメラ１０は、ストロボを使用する第１撮影モードとストロボを使用しない第２撮影モードとを被写体輝度に応じて自動的に切り替える通常撮影モードに加え、第３の撮影モードとして、被写体が人物であったり、暖かみのある画像を得たい場合に用いられ、ストロボ及びディフューザを使用するポートレートモードを備えている。これら通常撮影モードとポートレートモードの切り替えは、モード設定ダイヤル２５を操作することによって行われる。
【００１５】
通常撮影モードにおいては、前述のように第１撮影モードと第２撮影モードとが自動的に切り替えられ、第１撮影モードでは、ストロボ及びディフューザが使用されず、図１に示すように各ユニット３０，５０がユニット収容部２７に収容される。第２撮影モードでは、ストロボユニット３０のみ使用されるので、図２に示すように、ストロボユニット３０のストロボ発光部３３がカメラ本体１３の外部へ露呈されて、被写体へ向けられる。
【００１６】
他方、ポートレートモードでは、ストロボとディフューザの両方が使用されるので、図３に示すように、ストロボ発光部３３がカメラ本体１３の外部へ露呈されるとともに、このストロボ発光部３３の前方にディフューザ５３が挿入される。これにより、ストロボ光が拡散されてその配光が被写体全面で比較的均一になるので、被写体の陰影が減少する。
【００１７】
図４に示すように、ストロボユニット３０は、ストロボ発光部３３と、ストロボ発光部３３を保持するケース３５とが設けられ、ケース３５の前面側からストロボ発光部３３が露呈している。ストロボ発光部３３は、周知のように、放電管，リフレクタ，拡散板とからなり、カメラ１０の制御部（図５の符号７０参照）から送られるトリガー信号を受けて発光する。
【００１８】
ケース３５には、その後端部に一対のステー（支柱）３７、３９が後方に向かって延設されている。一対のステー３７，３９は、ケース３５をユニット収納部４２に取り付けるための支持部である。ユニット収容部２７の上部には、取り付け部４０が形成され、各ステー３７，３９の後端部と、取り付け部４０とは軸４３によって連結される。これにより、ケース３５はこの軸４３を中心に回動自在に保持される。
【００１９】
ステー３７の下部には、歯列４５が設けられ、歯車４６と歯合している。歯車４６にはモータ４７が直結され、モータ４７の回転に伴って歯車４６が回転する。モータ４７としては、例えば、与えられた駆動パルスの個数に応じて所定量回転するステッピングモータが使用される。歯車４６及びモータ４７は、ユニット収容部２７に取り付けられて保持される。
【００２０】
モータ４７が駆動され、歯車４６が図中反時計回りに回転すると、歯車４６と歯合した歯列４５が図中時計回りに回転し、ケース３５とともにストロボ発光部３３が収納位置へ移動する。また、歯車４６が図中時計回りに回転すると、歯列４５が図中反時計回りに回転し、ケース３５とともにストロボ発光部３３が発光位置へ移動する。収納位置は、ストロボ発光部３３をカメラ本体１３内に収納する位置であり、ストロボ不使用時にはこの位置にセットされる（図１参照）。発光位置は、ストロボ発光部３３をカメラ本体１３外に露呈する位置であり、ストロボ使用時にはこの位置にセットされる（図２、図３参照）。
【００２１】
ディフューザユニット５０には、ディフューザ５３と、ディフューザ５３を保持するホルダ５５、及び、巻き取り軸５７とが設けられている。ディフューザ５３としては、矩形で薄型の、例えば、布やプラスチックシートなどからなり、透過する光を拡散させる光拡散シートが用いられる。ディフューザ５３は、上端側がホルダ５５に連結され、下端側が巻き取り軸５７に連結され、これらにより両側から保持される。巻き取り軸５７は、図示しないバネによりディフューザ５３を巻き取る方向に付勢されており、ディフューザ５３が弛まないようになっている。
【００２２】
ホルダ５５は、ケース３５の周囲を囲むように設けられ、一対のステー（支柱）５９、６０が後方に向かって延設されている。一対のステー５９、６０は、ホルダ５５をユニット収容部２７に取り付けるための支持部である。各ステー５９、６０は、ストロボユニット３０のステー３７、３９のそれぞれ外側に配置され、ステー３７、３９と同じ軸４３によって取り付け部４０に連結される。これにより、ホルダ５５はこの軸４３を中心に回動自在に保持される。
【００２３】
ステー５９の下部には、歯列６５が設けられ、歯車６６と歯合している。歯車６６にはモータ６７が直結され、モータ６７の回転に伴って歯車６６が回転する。モータ６７としては、例えば、与えられた駆動パルスの個数に応じて所定量回転するステッピングモータが使用される。歯車６６及びモータ６７は、ユニット収容部２７に取り付けられて保持される。
【００２４】
モータ６７が駆動され、歯車６６が図中反時計回りに回転すると、歯車６６と歯合した歯列６５が図中時計回りに回転し、ホルダ５５とともにディフューザ５３が退避位置へ移動する。また、歯車６６が図中時計回りに回転すると、歯列６５が図中反時計回りに回転し、ホルダ５５とともにディフューザ５３が挿入位置へ移動する。
【００２５】
退避位置は、ホルダ５５が下方へ移動することで、ディフューザ５３が巻き取り軸５７に巻き取られて、カメラ本体１３内部に収納される位置であり、ディフューザ不使用時にはこの位置にセットされる（図１、図２参照）。挿入位置は、ホルダ５５が上方へ移動することで、ディフューザ５３が巻き取り軸５７から引き出され、発光位置にあるストロボ発光部３３の前方に挿入される位置であり、ディフューザ使用時にはこの位置にセットされる（図３参照）。挿入位置では、ディフューザ５３が、発光位置のストロボ発光部３３よりも高い位置まで立ち上がるようになっている。このため、ホルダ５５の前端部によってストロボ発光部３３からのストロボ光がケラれることがない。
【００２６】
図５に、ストロボユニット３０とディフューザユニット５０を制御する制御機構の電気的な構成を示す。カメラ１０の内部には、カメラ１０の各部を統括制御する制御部７０が設けられている。ストロボユニット３０とディフューザユニット５０もまた制御部７０によって駆動制御される。制御部７０は、シャッタボタン２３や、撮影モード設定ダイヤル２５から入力される操作信号、及び、測光センサ２０から得られる被写体輝度情報に基づいて、ストロボユニット３０とディフューザユニット５０の駆動制御を行う。
【００２７】
ストロボ発光部３３を移動させるモータ４７、及び、ディフューザ５３を移動させるモータ６７は、それぞれモータドライバ７７、７９を介することにより制御部７０と接続されている。各モータドライバ７７、７９は、制御部７０からの駆動信号に基づいた所定の駆動パルスを接続された各モータ４７、６７に供給する。
【００２８】
制御部７０には、カウンタ７７、７９が設けられている。カウンタ７７は、モータ４７に供給した駆動パルスの個数をカウントし、カウンタ７９は、モータ６７に供給した駆動パルスの個数をカウントしている。また、制御部７０には、ＲＯＭ８０が設けられ、ストロボ発光部３３が収納位置や発光位置に移動したときのカウンタ７７の値、及び、ディフューザ５３が退避位置や挿入位置に移動したときのカウンタ７９の値を記憶している。制御部７０は、カウンタ７７、７９とＲＯＭ８０とを比較することによって、ストロボ発光部３３やディフューザ５３の位置を検知するとともに、モータ４７、６７に供給する駆動パルスの個数を調節することで、これらを所望の位置まで移動させる。
【００２９】
カメラ１０が通常撮影モードにセットされているときに制御部７０は、シャッタボタン２３が半分押された時点で、測光センサ２０を駆動して被写体輝度情報を調べる。そして、被写体輝度情報に応じて第１撮影モード、もしくは第２撮影モードのいずれかを選択しモードを移行させる。
【００３０】
被写体輝度が予め設定された基準輝度を下回る場合には、第１撮影モードが選択される。第１撮影モードにおいて、制御部７０は、モータ４７を回転させて、ストロボ発光部３３を発光位置まで移動させる。そして、シャッタボタン２３が全部押された時点で、ストロボ発光部３３にトリガー信号を送信するとともに撮影を行う。これにより撮影と同時にストロボ発光部３３が発光して、ストロボを使用した撮影が行われる。被写体輝度が基準輝度を上回っている場合には、第２撮影モードが選択され、ストロボ発光部３３は収納位置のままストロボを使用せずに撮影が行われる。
【００３１】
一方、カメラ１０がポートレート撮影モードにセットされているときに制御部７０は、シャッタボタン２３が半分押された時点で、モータ４７を回転させて、ストロボ発光部３３を発光位置まで移動させるとともに、モータ６７を回転させて、ディフューザ５３を挿入位置まで移動させる。そして、シャッタボタン２３が全部押された時点で、ストロボ発光部３３にトリガー信号を送信するとともに撮影を行う。これにより撮影と同時にストロボ発光部３３が発光して、ストロボ及びディフューザを使用した撮影が行われる。
【００３２】
ストロボ及びディフューザを使用した撮影では、ストロボ発光部３３と被写体との間には、ディフューザ５３が配置されている。前述したように、ストロボ発光部３３にも拡散板が設けられ、ストロボ光を拡散させるようにしているが、ストロボ発光部３３の前方にディフューザ５３を挿入することによってストロボ光はさらに十分に拡散され、被写体をまんべんなく照明することができる。撮影終了後には、ストロボ発光部３３は収納位置に、ディフューザ５３は退避位置に移動される。
【００３３】
以下、本発明の作用について、図６に示すフローチャートをもとに説明をする。撮影者は、カメラ１０の電源をオンした後、撮影モード設定ダイヤル２５を回転させて通常撮影モードやポートレート撮影モードにセットし、シャッタボタン２３を押下することで撮影を行うことができる。
【００３４】
通常撮影モードでは、シャッタボタン２３が半分押下された時点で、被写体輝度が測定される。このとき、測定された被写体輝度が、予め設定された基準輝度を下回り、被写体の明るさが不足している場合には、自動的に第１撮影モードへと移行する。第１撮影モードでは、ストロボ発光部３３が発光位置へと移動して、カメラ本体１３から露呈される。そして、シャッタボタン２３が最後まで押下されると、ストロボ発光部３３が発光し、ストロボを使用した撮影が行われる。
【００３５】
また、通常撮影モードにおいて、測定された被写体輝度が、予め設定された基準輝度を上回り、被写体が十分に明るい場合には、自動的に第２撮影モードへと移行する。第２撮影モードでは、ストロボ発光部３３はカメラ本体１３に収容された収納位置のままであり、シャッタボタン２３を最後まで押下することでストロボを使用せずに撮影が行われる。
【００３６】
一方、ポートレート撮影モードでは、シャッタボタン２３が半分押下された時点で、ストロボ発光部３３が発光位置へと移動して、カメラ本体１３から露呈される。また、ディフューザ５３が挿入位置へと移動して、ストロボ発光部３３の前方に配置される。そして、シャッタボタン２３が最後まで押下されると、ストロボ発光部３３が発光し、ストロボ及びディフューザを使用した撮影が行われる。この撮影では、ストロボ発光部３３からのストロボ光がディフューザ５３によって拡散されるので、被写体をまんべんなく照明することができる。このため、被写体の明暗がはっきりしてしまうといったことがなく、暖かみのある画像を撮影できる。
【００３７】
このように、カメラ１０は、ディフューザを、ストロボ発光部の前方に挿入する挿入位置と、この挿入位置から退避する退避位置との間で移動自在としたので、携帯の際などにかさばってしまうといったことがない。また、撮影モードに応じて、ストロボ発光部、及び、ディフューザの移動、並びに、ストロボの発光の有無の切り替えが自動的に行われるので、撮影に不慣れなユーザーであっても、ストロボやディフューザを手軽に有効活用できる。
【００３８】
なお、上記実施形態では、２つのモータを用いて、ストロボ発光部とディフューザを移動させる例で説明をしたが、図７に示すように、１つのモータによって、ストロボ発光部とディフューザの両方を移動させてもよい。なお、図７以降の図面においては、上述した実施形態と同様の部材については同様の符号を付して説明を省略する。
【００３９】
図７において、ストロボユニット８２には、ストロボ発光部３３を発光位置へ向けて付勢する第１バネ８８が設けられている。ストロボ発光部３３は、ステー３７に形成された歯列４５を図中反時計回りに移動させることで、第１バネ８８の付勢に抗して収納位置へ移動される。収納位置へ移動されたストロボ発光部３３は、ステー３９に形成された第１係止突起９０が第１係止レバー９２と係合することで、収納位置に係止される。
【００４０】
第１係止レバー９２は、軸９４によって回転自在に支持され、第１係止突起９０と係合する係合位置と、この係合位置から図中反時計回りに回動して、第１係止突起９０との係合を解除する解除位置との間で回動する。第１係止レバー９２は、バネ９６によって係合位置へ向けて付勢されており、第１係止突起９０と係合した後は係合状態が保持される。また、バネ９６の付勢に抗して第１係止レバー９２を解除位置へ移動させることで、第１バネ８８の付勢によりストロボ発光部３３が発光位置へ移動する。
【００４１】
同様に、ディフューザユニット８４には、ディフューザ５３を挿入位置へ向けて付勢する第２バネ９８が設けられている。ディフューザ５３は、ステー５９に形成された歯列６５を図中反時計方向へ移動させることで、第２バネ９８の付勢に抗して退避位置へ移動される。退避位置へ移動されたディフューザ５３は、ステー６０に形成された第２係止突起１００が第２係止レバー１０２と係合することで、退避位置に係止される。
【００４２】
第２係止レバー１０２は、第１係止レバー９２と同じ軸９４によって回転自在に支持され、第２係止突起１００と係合する係合位置と、この係合位置から図中反時計回りに移動して、第２係止突起１００との係合を解除する解除位置との間で回動する。第２係止レバー１０２は、バネ１０６によって係合位置へ向けて付勢されており、第２係止突起１００と係合した後は係合状態が保持される。また、バネ１０６の付勢に抗して第２係止レバー１０２を解除位置へ移動させることで、第２バネ９８の付勢によりディフューザ５３が挿入位置へ移動する。
【００４３】
ストロボユニット８２、ディフューザユニット８４は、回転軸８６によって駆動される。回転軸８６は、第１係止レバー９２を解除位置へ移動させる第１解除レバー８６ａと、第２係止レバー１０２を解除位置へ移動させる第２解除レバー８６ｂと、歯列６５と歯合し、これを移動させる第２駆動ギア８６ｃと、歯列４５と歯合し、これを移動させる第１駆動ギア８６ｄとを備えている。これらは、それぞれ回転軸８６の周面の異なる角度位置に形成され、図中反時計回りに、第１解除レバー８６ａ、第２解除レバー８６ｂ、第２駆動ギア８６ｃ、第１駆動ギア８６ｄといった順番で配置されている（図８参照）。回転軸８６は、制御部７０によって駆動されるモータ１０８が接続され、このモータ１０８により図中時計回りに回転される。モータ１０８としては、例えば、ステッピングモータが使用される。
【００４４】
図８（Ａ）に示すように、回転軸８６は、初期状態において、第１解除レバー８６ａと第１駆動ギア８６ｄとの間に第１係止レバー９２が位置するように配置される。同図（Ｂ）に示すように、初期状態から回転軸８６が回転されると、第１解除レバー８６ａが第１係止レバー９２を押し上げて解除位置へ移動させる。これによりストロボ発光部３３が発光位置へ移動する。この状態からさらに回転軸８６が回転されると、同図（Ｃ）に示すように、第２解除レバー８６ｂが第２係止レバー１０２を押し上げて解除位置へ移動させる。これによりディフューザ５３が挿入位置へ移動する。
【００４５】
さらに回転軸８６が回転されると、同図（Ｄ）に示すように、第２駆動ギア８６ｃが歯列６５と歯合して、歯列６５を図中反時計回りに回転させ、ディフューザ５３を退避位置へ向けて移動させる。この移動の間に第２係止突起１００が第２係止レバー１０２を押し下げ、第２係止突起１００と第２係止レバー１０２とが係合する。これにより、ディフューザ５３が退避位置で保持される。
【００４６】
続いて、同図（Ｅ）に示すように、第１駆動ギア８６ｄが歯列４５と歯合して、歯列４５を図中反時計回りに回転させ、ストロボ発光部３３を収納位置へ移動させる。この移動の間に第１係止突起９０が第１係止レバー９２を押し下げ、第１係止突起９０と第１係止レバー９２とが係合する。これにより、ストロボ発光部３３が収納位置で保持される。以上、図８（Ａ）〜同図（Ｅ）までのサイクルを経ることで回転軸８６は１回転分回転し、再び初期状態まで戻る。
【００４７】
制御部は、モータ１０８に供給する駆動パルスの個数を調節することによって、回転軸８６を所望量回転させ、ストロボ発光部３３、及び、ディフューザ５３の位置を制御する。そして、前述した実施形態の場合と同様に、ストロボ発光部３３、及び、ディフューザ５３の位置は、撮影モードに応じて決定される。
【００４８】
このように、１つのモータによって、ストロボ発光部、及び、ディフューザを移動させれば、モータを２つ設ける場合と比較して、小型化、低コスト化が可能となる。なお、１つのモータによりストロボ発光部並びにディフューザを移動させる方法は、本例に限られるものではない。例えば、本例では、１つの回転軸の周面に、第１解除レバー、第２解除レバー、第１駆動ギア、第２駆動ギアを設けたが、これらをそれぞれ異なる回転軸の周面に設けてもよい。この場合、各回転軸をカムやギアなどからなる連動機構により連結し、１つのモータから入力される回転力を各回転軸に伝達すればよい。
【００４９】
また、ストロボ発光部を移動させる第１解除レバーと第１駆動ギアとを１つの回転軸の周面に設けて一体化し、ディフューザを移動させる第２解除レバーと第２駆動ギアとを別の回転軸の周面に設けて一体化し、これら２つの回転軸をカムやギアなどからなる連動機構により連結し、１つのモータから入力される回転力を２つの回転軸に伝達するといったことも考えられる。このような構成にしても１つのモータによりストロボ発光部並びにディフューザを移動させることができる。
【００５０】
なお、上記実施形態では、ポートレートモードが選択された場合にのみディフューザを使用する例で説明をしたが、通常撮影モードにおいても、被写体輝度や被写体との距離などの撮影条件に応じて、ディフューザを使用してもよい。もちろん、ポートレートモードや通常撮影モード以外の撮影モードでディフューザを使用してもよい。また、撮影モードに応じて、ストロボやディフューザの使用の有無を変化させる例で説明をしたが、これに加え、シャッタスピードや露出などの設定を変化させるようにしてもよい。
【図面の簡単な説明】
【００５１】
【図１】ストロボ及びディフューザ不使用時のカメラの外観図である。
【図２】ストロボ使用時、ディフューザ不使用時のカメラの外観図である。
【図３】ストロボ及びディフューザ使用時のカメラの外観図である。
【図４】ストロボユニットとディフューザユニットの分解図である。
【図５】ストロボユニット及びディフューザユニットの制御機構を表す電気的構成図である。
【図６】撮影の流れを表すフローチャートである。
【図７】１つのモータによりストロボ発光部及びディフューザを移動させる構成の例を表す分解図である。
【図８】回転軸の回転に伴い、ストロボ発光部及びディフューザが移動する様子を表す説明図である。
【符号の説明】
【００５２】
１０  カメラ
２５  撮影モード設定ダイヤル
３０、８２  ストロボユニット
３３  ストロボ発光部
４７、６７、１０８  モータ
５０、８４  ディフューザユニット
５３  ディフューザ
７０  制御部
８６  回転軸
８６ａ  第１解除レバー
８６ｂ  第２解除レバー
８６ｃ  第２駆動ギア
８６ｄ  第１駆動ギア
８８  第１バネ
９２  第１係止レバー
９８  第２バネ
１０２  第２係止レバー
【図１】
2006178221.tif 000003
【図２】
2006178221.tif 000004
【図３】
2006178221.tif 000005
【図４】
2006178221.tif 000006
【図５】
2006178221.tif 000007
【図６】
2006178221.tif 000008
【図７】
2006178221.tif 000009
【図８】
2006178221.tif 000010